(57)【要約】【課題】排紙トレイを回動自在に備えるカセットにおいて、用紙セット作業をより一層容易に行う。【解決手段】用紙カセット２は、下段側トレイ３０と、この下段側トレイ３０の上部においてスライド変位可能な上段側トレイ４０と、下段側トレイ３０に対して回動可能に取り付けられた排紙受けトレイ５０と、を備えた複数段式の用紙カセットである。排紙受けトレイ５０の回動軸５４は、下段側トレイ３０における用紙送り出し方向下流側端部で軸支されており、この為排紙受けトレイ５０を開いた際に下段側トレイ３０の上方が大きく開放され、下段側トレイ３０へ用紙をセットする作業の容易性がより一層向上する。【選択図】図３
2014012582.tif 000002
【特許請求の範囲】
【請求項１】
媒体を収容する媒体収容トレイと、
前記媒体収容トレイにおける媒体送り出し方向下流側端部近傍または上流側端部近傍に設けられた回動軸を介して前記媒体収容トレイに連結され、媒体送り出し方向と交差する方向に沿った回動軸線を中心に回動可能に設けられた、媒体を支持する媒体支持トレイと、
を備えて成る媒体カセット。
【請求項２】
媒体を収容する媒体収容トレイと、
前記媒体収容トレイにおける媒体送り出し方向と交差する方向の端部近傍に設けられた回動軸を介して前記媒体収容トレイに連結され、媒体送り出し方向に沿った回動軸線を中心に回動可能に設けられた、媒体を支持する媒体支持トレイと、
を備えて成る媒体カセット。
【請求項３】
媒体を収容する媒体収容トレイと、
前記媒体収容トレイの媒体収容領域における媒体送り出し方向下流側端部近傍または上流側端部近傍に設けられた回動軸を介して前記媒体収容トレイに連結され、媒体送り出し方向と交差する方向に沿った回動軸線を中心に回動可能に設けられた、媒体を支持する媒体支持トレイと、
を備えて成る媒体カセット。
【請求項４】
媒体を収容する媒体収容トレイと、
前記媒体収容トレイの媒体収容領域における媒体送り出し方向と交差する方向の端部近傍に設けられた回動軸を介して前記媒体収容トレイに連結され、媒体送り出し方向に沿った回動軸線を中心に回動可能に設けられた、媒体を支持する媒体支持トレイと、
を備えて成る媒体カセット。
【請求項５】
媒体を収容する媒体収容トレイと、
回動軸を介して前記媒体収容トレイと連結された、媒体を支持する媒体支持トレイと、を備え、
前記媒体支持トレイが前記媒体収容トレイを開放する開姿勢にある状態において、前記媒体収容トレイの媒体収容領域上方が前記媒体支持トレイによって仕切られず単一の媒体収容口が形成される構成を備える、
ことを特徴とする媒体カセット。
【請求項６】
請求項１から５のいずれか１項に記載の媒体カセットにおいて、前記媒体収容トレイは、第１媒体収容トレイと、当該第１媒体収容トレイの上部に設けられた第２媒体収容トレイと、を備えて成り、
前記媒体支持トレイが、前記第１媒体収容トレイに、前記回動軸を介して連結されている、
ことを特徴とする媒体カセット。
【請求項７】
媒体に記録を行う記録手段と、
請求項１から６のいずれか１項に記載の媒体カセットと、
を備えた記録装置。
【発明の詳細な説明】
【技術分野】
【０００１】
本発明は、媒体を収容する媒体収容トレイと記録が行われて排出される媒体を支持する媒体支持トレイとを備えて成る媒体カセット、及びこれを備えた、ファクシミリやプリンター等に代表される記録装置に関する。
【背景技術】
【０００２】
装置本体に対して着脱可能な用紙カセットは従来から広く用いられている。また、その中でも特許文献１に示されるように、一つの着脱自在なトレイにおいて下段のトレイ（メイントレイ）と上段のトレイ（セカンドトレイ）の２つの用紙収容部を備えたものが知られている。加えて特許文献１記載のトレイは、排紙トレイを更に備えている。即ち特許文献１記載のトレイは、２つの用紙収容トレイと、１つの排紙トレイとが高さ方向に重畳された３段構造となっている。
【先行技術文献】
【特許文献】
【０００３】
【特許文献１】特開２０１２−７６８７１号公報
【発明の概要】
【発明が解決しようとする課題】
【０００４】
上記特許文献１記載のトレイにおいて、排紙トレイは、メイントレイに回動可能に支持されており、回動することにより、メイントレイ及びセカンドトレイの上部を開放する様に設けられている。
【０００５】
ところでこの排紙トレイは、メイントレイにおいて用紙送り出し方向のほぼ中央付近に軸支されている。従って、メイントレイに用紙をセットする為に排紙トレイを開いても、メイントレイの用紙収容領域が充分に開放されず、用紙セット作業が行い難いという欠点があった。
【０００６】
そこで本発明はこの様な状況に鑑みなされたものであり、その目的は、排紙トレイを回動自在に備えるカセットにおいて、用紙セット作業をより一層容易に行うことにある。
【０００７】
尚、記録装置において用紙を収容する用紙収容部の呼称としては「カセット」、「トレイ」など種々のものがあるが、本明細書では装置本体に対して着脱可能な一つのユニット体全体を「カセット」と言い、このカセットを構成する、用紙を収容する用紙収容部や排紙された用紙を支持する排紙受け部を「トレイ」と言うこととする。
【課題を解決するための手段】
【０００８】
上記課題を解決する為の、本発明の第１の態様に係る媒体カセットは、媒体を収容する媒体収容トレイと、前記媒体収容トレイにおける媒体送り出し方向下流側端部近傍または上流側端部近傍に設けられた回動軸を介して前記媒体収容トレイに連結され、媒体送り出し方向と交差する方向に沿った回動軸線を中心に回動可能に設けられた、媒体を支持する媒体支持トレイとを備えて成ることを特徴とする。
【０００９】
本態様によれば、媒体収容トレイと媒体支持トレイとを備えて成る媒体カセットにおいて、媒体支持トレイが、媒体収容トレイにおける媒体送り出し方向下流側端部近傍または上流側端部近傍に設けられた回動軸を介して媒体収容トレイと連結するので、媒体支持トレイを開いた際に媒体収容トレイの上方が大きく開放され、これによって媒体収容トレイへ媒体をセットする作業を容易に行うことができる。
【００１０】
本発明の第２の態様に係る媒体カセットは、媒体を収容する媒体収容トレイと、前記媒体収容トレイにおける媒体送り出し方向と交差する方向の端部近傍に設けられた回動軸を介して前記媒体収容トレイに連結され、媒体送り出し方向に沿った回動軸線を中心に回動可能に設けられた、媒体を支持する媒体支持トレイとを備えて成ることを特徴とする。
【００１１】
本態様によれば、媒体収容トレイと媒体支持トレイとを備えて成る媒体カセットにおいて、媒体支持トレイが、媒体収容トレイにおける媒体送り出し方向と交差する方向の端部近傍に設けられた回動軸を介して媒体収容トレイと連結するので、媒体支持トレイを開いた際に媒体収容トレイの上方が大きく開放され、これによって媒体収容トレイへ媒体をセットする作業を容易に行うことができる。
【００１２】
本発明の第３の態様に係る媒体カセットは、媒体を収容する媒体収容トレイと、前記媒体収容トレイの媒体収容領域における媒体送り出し方向下流側端部近傍または上流側端部近傍に設けられた回動軸を介して前記媒体収容トレイに連結され、媒体送り出し方向と交差する方向に沿った回動軸線を中心に回動可能に設けられた、媒体を支持する媒体支持トレイとを備えて成ることを特徴とする。
【００１３】
本態様によれば、媒体収容トレイと媒体支持トレイとを備えて成る媒体カセットにおいて、媒体支持トレイが、媒体収容トレイの媒体収容領域における媒体送り出し方向下流側端部近傍または上流側端部近傍に設けられた回動軸を介して媒体収容トレイと連結するので、媒体支持トレイを開いた際に媒体収容トレイの媒体収容領域上方が大きく開放され、これによって媒体収容トレイへ媒体をセットする作業を容易に行うことができる。
【００１４】
本発明の第４の態様に係る媒体カセットは、媒体を収容する媒体収容トレイと、前記媒体収容トレイの媒体収容領域における媒体送り出し方向と交差する方向の端部近傍に設けられた回動軸を介して前記媒体収容トレイに連結され、媒体送り出し方向に沿った回動軸線を中心に回動可能に設けられた、媒体を支持する媒体支持トレイとを備えて成ることを特徴とする。
【００１５】
本態様によれば、媒体収容トレイと媒体支持トレイとを備えて成る媒体カセットにおいて、媒体支持トレイが、媒体収容トレイの媒体収容領域における媒体送り出し方向と交差する方向の端部近傍に設けられた回動軸を介して媒体収容トレイと連結するので、媒体支持トレイを開いた際に媒体収容トレイの媒体収容領域上方が大きく開放され、これによって媒体収容トレイへ媒体をセットする作業を容易に行うことができる。
【００１６】
本発明の第５の態様に係る媒体カセットは、媒体を収容する媒体収容トレイと、回動軸を介して前記媒体収容トレイと連結された、媒体を支持する媒体支持トレイと、を備え、前記媒体支持トレイが前記媒体収容トレイを開放する開姿勢にある状態において、前記媒体収容トレイの媒体収容領域上方が前記媒体支持トレイによって仕切られず単一の媒体収容口が形成される構成を備えることを特徴とする。
【００１７】
本態様によれば、媒体収容トレイと媒体支持トレイとを備えて成る媒体カセットにおいて、媒体支持トレイが前記媒体収容トレイを開放する開姿勢にある状態において、前記媒体収容トレイの媒体収容領域上方が前記媒体支持トレイによって仕切られず単一の媒体収容口が形成される構成であるので、媒体支持トレイを開いた際に媒体収容トレイの媒体収容領域上方が大きく開放され、これによって媒体収容トレイへ媒体をセットする作業を容易に行うことができる。
【００１８】
本発明の第６の態様に係る媒体カセットは、第１から第５の態様のいずれかにおいて、前記媒体収容トレイは、第１媒体収容トレイと、当該第１媒体収容トレイの上部に設けられた第２媒体収容トレイと、を備えて成り、前記媒体支持トレイが、前記第１媒体収容トレイに、前記回動軸を介して連結されていることを特徴とする。
【００１９】
本態様によれば、第１媒体収容トレイ、第２媒体収容トレイ、媒体支持トレイ、のこれらを備えた構成において、上述した第１から第５の態様のいずれかと同様な作用効果を得ることができる。
【００２０】
本発明の第７の態様に係る記録装置は、媒体に記録を行う記録手段と、第１からから第６の態様のいずれかに係る媒体カセットと、を備えたことを特徴とする。  
本態様によれば、記録装置において、上述した第１から第６の態様のいずれかと同様な作用効果を得ることができる。
【図面の簡単な説明】
【００２１】
【図１】本発明の一実施形態に係るプリンターの用紙搬送経路を示す側断面図。
【図２】本発明の一実施形態に係る用紙カセットの斜視図。
【図３】本発明の一実施形態に係る用紙カセットの斜視図。
【図４】本発明の一実施形態に係る用紙カセットの斜視図。
【図５】本発明の一実施形態に係る用紙カセットの断面斜視図。
【図６】本発明の一実施形態に係る用紙カセットの部分斜視図。
【図７】本発明の一実施形態に係る用紙カセットの部分斜視図。
【図８】本発明の一実施形態に係る用紙カセットの部分斜視図。
【図９】ロック機構の斜視図。
【図１０】（Ａ）〜（Ｄ）は排紙受けトレイ回動軸の配置バリエーションを示す図。
【図１１】（Ａ）、（Ｂ）は排紙受けトレイ回動軸の配置バリエーションを示す図。
【発明を実施するための形態】
【００２２】
以下、図１乃至図１１を参照しつつ本発明の一実施形態について説明する。図１は本発明に係る「記録装置」の一実施形態であるインクジェットプリンター（以下「プリンター」と言う）１の用紙搬送経路を示す側断面図、図２〜図４は本発明に係る「媒体カセット」の一実施形態である用紙カセット２の斜視図であり、図２は上段側トレイ４０及び排紙受けトレイ５０の双方を閉じた状態を、図３は排紙受けトレイ５０のみを開いた状態を、図４は上段側トレイ４０及び排紙受けトレイ５０の双方を開いた状態を、それぞれ示している。
【００２３】
また図５は用紙カセット２の断面斜視図、図６〜図９は用紙カセット２の部分斜視図、図９はロック機構６０の斜視図である。更に図１０（Ａ）〜（Ｄ）及び図１１（Ａ）、（Ｂ）は排紙受けトレイ５０の回動軸５４の配置バリエーションを示す図である。尚、図１において左方向は用紙送り出し方向、図面表裏方向が用紙幅方向を示している。また、図１において符号５４、４６で示す点は、それぞれ回動軸５４、軸４６（後述）の中心位置を示している。
【００２４】
以下、図１を参照しつつプリンター１の全体構成について概説する。プリンター１は、装置底部に用紙カセット２を備え、当該用紙カセット２から、媒体の一例としての用紙（主として単票紙）を１枚ずつ送り出し、記録ヘッド２４により記録を行い、装置前方側（図１において右側）に設けられた排紙受けトレイ５０へ向けて排出する構成を備えている。
【００２５】
より詳しくは、複数枚の用紙を積層状態でセット可能な用紙カセット２は、プリンター１の装置本体に対し、装置前方側から装着及び取り外し可能であり、下部に位置して用紙カセット２の基体を構成する「第１媒体収容トレイ」としての下段側トレイ３０と、その上部に位置する、給送可能位置と退避領域との間をスライド可能な「第２媒体収容トレイ」としての上段側トレイ４０と、の２つの媒体収容トレイを備えている。
【００２６】
また用紙カセット２は、更に上段側トレイ４０の上部に、「媒体支持トレイ」としての排紙受けトレイ５０を備えている。即ち本実施形態に係る用紙カセット２は、下段側トレイ３０、上段側トレイ４０、排紙受けトレイ５０、のこれらが一体に構成されたユニット体である。
【００２７】
尚、図１においては、下段側トレイ３０に収容される用紙を符号Ｐ１で、上段側トレイ４０に収容される用紙を符号Ｐ２で、それぞれ示している（以下特に区別する必要がない場合は「用紙Ｐ」と言う）。
【００２８】
用紙カセット２の上方には、図示しないモーターによって回転駆動されるピックアップローラー６が設けられている。ピックアップローラー６は、揺動軸８を中心に揺動する揺動部材７に設けられている。上段側トレイ４０が最も装置前方側（図１において右側：用紙カセット２の引き抜き方向側）にスライドした状態、即ち上段側トレイ４０が退避領域にあるとき、ピックアップローラー６は下段側トレイ３０に収容された用紙Ｐ１の最上位のものと接して回転することにより、当該最上位の用紙Ｐ１を下段側トレイ３０から送り出す。
【００２９】
また上段側トレイ４０が最も装置後方側（図１において左側：用紙カセット２の装着方向側）にスライドした突き当て位置にあるとき（図１、図２の状態）、即ち上段側トレイ４０の給送可能位置では、ピックアップローラー６は上段側トレイ４０に収容された用紙Ｐ２の最上位のものと接して回転することにより、当該最上位の用紙Ｐ２を上段側トレイ４０から送り出す。
【００３０】
下段側トレイ３０において用紙送り出し方向下流側には、分離斜面３３が設けられており、下段側トレイ３０から送り出される用紙先端が分離斜面３３に摺接しながら進むことで、用紙の分離（重送防止）が行われる。
【００３１】
また上段側トレイ４０が給送可能位置に位置決めされた状態（図１、図２の状態）では、下段側トレイ３０の分離斜面３３が、上段側トレイ４０の前方側にあるストッパー４３よりも用紙Ｐ２の先端側に突出するように構成されており、これにより分離斜面３３が上段側トレイ４０から用紙が送り出される際の分離手段としても利用されるようになっている。
【００３２】
下段側トレイ３０或いは上段側トレイ４０から送り出された用紙Ｐは、図示しないモーターにより回転駆動される駆動ローラー１０によって湾曲反転されながら、記録部へと送られる。尚、符号１２、１３、１４は、駆動ローラー１０との間で用紙Ｐをニップする従動ローラーである。通常、用紙カセット２から送り出される用紙Ｐは、従動ローラー１３、１４を通って記録部へと進む。従動ローラー１２は、おもて面に記録の行われた用紙Ｐをバックフィードし、うら面に記録を行う為に用紙を反転させる際に機能する。
【００３３】
記録部に送られた用紙Ｐは、不図示のモーターによって回転駆動される搬送駆動ローラー１７と、該搬送駆動ローラー１７に圧接して従動回転する搬送従動ローラー１８とによって記録ヘッド２４の下へ精密送りされる。尚、符号１９は搬送従動ローラー１８を支持する上部紙案内である。
【００３４】
記録ヘッド２４はキャリッジ２２の底部に設けられ、当該キャリッジ２２は図示しない駆動モーターによって主走査方向（図１の紙面表裏方向）に往復動する様に駆動される。記録ヘッド２４と対向する位置には下部紙案内２１が設けられ、当該下部紙案内２１によって、用紙Ｐと記録ヘッド２４との距離が規定されるようになっている。
【００３５】
そして記録ヘッド２４の下流側には、記録の行われた用紙Ｐを排出する、不図示のモーターによって回転駆動される排出駆動ローラー２５と、当該排出駆動ローラー２５に接して従動回転する排出従動ローラー２６とが設けられている。記録ヘッド２４によって記録の行われた用紙Ｐは、排出駆動ローラー２５の回転により、排紙受けトレイ５０へと排出される。
【００３６】
以上がプリンター１の概要であり、以下、用紙カセット２について図２以降を参照しつつ更に詳説する。  
下段側トレイ３０は、その底面３０ａに、用紙送り方向（即ち、用紙長さ方向）にスライド可能なエッジガイド３４を備えており（図１、図４）、このエッジガイド３４により後端エッジの位置が規制される。
【００３７】
また、下段側トレイ３０には、用紙送り方向と直交する方向（即ち、用紙幅方向）にスライド可能なエッジガイド３５ａ、３５ｂも設けられており（図４）、このエッジガイド３５ａ、３５ｂにより、サイドエッジの位置が規制される。
【００３８】
一方、上段側トレイ４０についても下段側トレイ３０と同様に、その底面４０ａに、用紙長さ方向にスライド可能なエッジガイド４４と、用紙幅方向にスライド可能なエッジガイド４５ａ、４５ｂと、を備えている（図１、図２）。尚、本実施形態において上段側トレイ４０の用紙収容領域は、下段側トレイ３０との比較において小型サイズの用紙を収容する大きさに設定されている。
【００３９】
続いて、上段側トレイ４０の可動構造について説明する。下段側トレイ３０の側壁３１ａ、３１ｂには、段差部３０ｂが形成されており（図３、図４では側壁３１ｂ側に形成された段差部を符号３０ｂで示している）、両サイドの段差部３０ｂ、３０ｂに沿って、上段側トレイ４０及びスライダ４２が用紙送り方向及びその逆方向にスライド変位可能に設けられている。
【００４０】
スライダ４２には２つの軸４６（図８）が設けられており、上段側トレイ４０に形成された軸受部４０ｂが、スライダ４２の軸４６に嵌合し、これにより上段側トレイ４０がスライダ４２に対し回動自在に取り付けられている。本実施形態において、軸４６は用紙送り方向と直交する方向に軸線を有しており、従って上段側トレイ４０は用紙送り方向と直交する方向に回動軸線を有している。また本実施形態において上段側トレイ４０の回動限度は、図４に示す状態であり、即ち９０度より大きく、１８０度より小さい。
【００４１】
また上段側トレイ４０の両端には、被支持部４０ｃ、４０ｃが形成されており、この被支持部４０ｃ、４０ｃが、下段側トレイ３０に形成された段差部３０ｂ、３０ｂに支持されることで上段側トレイ４０の閉姿勢が規定される。そしてまた、スライダ４２と、被支持部４０ｃ、４０ｃとが、段差部３０ｂ、３０ｂ上をスライドすることで、上段側トレイ４０が下段側トレイ３０に対しスライド変位する様になっている。
【００４２】
尚、上段側トレイ４０は、ロック機構６０によって所定のスライド位置を保持できる様になっている。符号６１ａは摘み部を示しており、この摘み部６１ａを操作しない状態では、ロック機構６０が上段側トレイ４０を所定のスライド位置に保持する。そしてユーザーが摘み部６１ａをつまむことにより、上記保持状態が解除され、上段側トレイ４０及びスライダ４２がスライド可能な状態となる。
【００４３】
図９はロック機構６０の構成を示す斜視図である。ロック機構６０は、操作アーム６１とレバー６２と、スライダ６３と、ばね６４と、を備えて成る。操作アーム６１は、上段側トレイ４０において用紙送り出し方向に沿ってスライド可能に設けられており、レバー６２は上段側トレイ４０に設けられた不図示の軸に軸受部６２ａが嵌合することにより、上段側トレイ４０の平面視において時計回り方向及び反時計回り方向に揺動可能に設けられている。
【００４４】
スライダ６３は、スライダ４２において用紙送り出し方向と直交する方向、即ち用紙幅方向にスライド可能に設けられている。そしてレバー６２は、操作アーム６１と係合し、操作アーム６１のスライドによって揺動するとともに、この揺動によってレバー６２が備えるアーム６２ｂがスライダ６３をスライドさせる。
【００４５】
スライダ６３には突起６３ａが形成されており、この突起６３ａが、下段側トレイ３０の側壁３１ａに形成された溝穴３７ａ、３７ｂ、３７ｃ（図２において図示）に入り込める様になっている。これによりロック機構６０は、上段側トレイ４０を所定領域に保持する。尚、ばね６４はスライダ６３を付勢しており、これによりスライダ６３は、操作アーム６１が操作されない限り突起６３ａが溝穴３７ａ、３７ｂ、３７ｃのいずれかに入り込んだ状態が維持される。
【００４６】
続いて、排紙受けトレイ５０について詳説する。本実施形態に係る排紙受けトレイ５０は、排紙方向先端部に第１サブトレイ５８と第２サブトレイ５９とを備えている（図５）。第１サブトレイ５８は排紙受けトレイ５０の本体に対して排紙方向に沿ってスライド可能に設けられており、使用時は図５に示す様に引き出し、不使用時は押し込むことで排紙受けトレイ５０の本体内に収容可能となっている。第２サブトレイ５９は第１サブトレイ５８に対し回動可能に設けられており、使用時は図５に示す様に上向き傾斜姿勢となることで、排出される用紙Ｐが排出方向に滑って落下しない様に保持する。
【００４７】
符号５０ａは用紙を受ける支持面を示しており、符号５２は上段側トレイ４０に設けられたエッジガイド４４を露呈させる窓穴を、符号５１は摘み部６１ａを露呈させる窓穴を、それぞれ示している。
【００４８】
この様に構成された排紙受けトレイ５０は、下段側トレイ３０に対し回動可能に連結されている。より詳しくは、排紙受けトレイ５０は両側部にアーム５３を有しており、その先端部５３ａに、側方に向けて突出する回動軸５４が形成されている（図７）。一方、下段側トレイ３０の側壁３１ｂには軸受穴３２が形成されており、この軸受穴３２に回動軸５４が嵌合することにより、排紙受けトレイ５０が下段側トレイ３０に対して回動可能に支持される。
【００４９】
尚、排紙受けトレイ５０は閉じた状態において下段側トレイ３０の側壁３１ａ、３１ｂによって支持され、これにより排紙受けトレイ５０の閉姿勢が規定される。また排紙受けトレイ５０は、開いた状態において約１８０度の開き角をとりうる（図３、図４）。
【００５０】
ところで、下段側トレイ３０において用紙送り出し方向先端部両側には、図６〜図８に示す様にスリット３９が形成されており、排紙受けトレイ５０のアーム先端部５３ａが、このスリット３９の中に入り込んだ状態となっている。これにより、回動軸５４が軸受穴３２から容易に外れることが防止されている。
【００５１】
ところで、本実施形態に係る用紙カセット２においては、排紙受けトレイ５０の回動軸５４は、下段側トレイ３０における用紙送り出し方向下流側端部で軸支（下段側トレイ３０に連結）されており、用紙送り出し方向と直交する方向に沿った回動軸線（図２において線Ａ）を中心に回動可能に設けられている。この為、図４に示す様に排紙受けトレイ５０を開いた際に下段側トレイ３０の上方が大きく開放され、これによって下段側トレイ３０へ用紙をセットする作業が容易に行える様になっている。尚、上段側トレイ４０に用紙をセットする際も、図３に示す様に上段側トレイ４０の上方が大きく開放されるので、上段側トレイ４０へ用紙をセットする作業の容易性も確保される。
【００５２】
換言すれば、排紙受けトレイ５０が下段側トレイ３０或いは上段側トレイ４０を開放する開姿勢にある状態において、下段側トレイ３０或いは上段側トレイ４０の用紙収容領域上方が排紙受けトレイ５０によって仕切られず単一の用紙収容口が形成されるので、排紙受けトレイ５０を開いた際に下段側トレイ３０或いは上段側トレイ４０の上方が大きく開放され、これによって下段側トレイ３０或いは上段側トレイ４０へ用紙をセットする作業の容易性が向上する。
【００５３】
尚、本実施形態では排紙受けトレイ５０の回動軸５４を下段側トレイ３０において用紙送り出し方向下流側端部に配置したが、これに限られず用紙送り出し方向上流側端部に設けても良い。或いは、本実施形態では排紙受けトレイ５０を用紙送り出し方向に沿って回動する様に設けているが、これに限られず側方に回動する様に設けても良い。即ち、排紙受けトレイ５０の回動軸線を用紙送り出し方向に沿って設定し、その際排紙受けトレイ５０の回動軸を下段側トレイ３０において用紙送り出し方向と交差する方向の端部近傍に設ければ、排紙受けトレイ５０を開いた際に下段側トレイ３０或いは上段側トレイ４０の上方が大きく開放される。
【００５４】
また、回動軸５４の位置は、下段側トレイ３０の本体に対して用紙送り出し方向上流、下流、側方、のいずれかに配置しても良いし、或いは下段側トレイ３０における用紙収容領域に対して用紙送り出し方向上流、下流、側方、のいずれかに配置しても良い。
【００５５】
具体的には、図１０、図１１において符号２ｃは下段側トレイ３０の本体、符号２ｂは用紙収容領域を示し、符号Ｙは用紙送り出し方向（下流方向）、符号Ｘは用紙幅方向を示している。また、符号Ｙａ、Ｙｂはそれぞれ本体２ｃ、用紙収容領域２ｂのＹ方向範囲を、符号Ｘａ、Ｘｂはそれぞれ本体２ｃ、用紙収容領域２ｂのＸ方向範囲を示している。
【００５６】
図１０（Ａ）において、排紙受けトレイ５０の回動軸５４は、本体２ｃに対して用紙送り出し方向下流端部に配置されている。また、図１０（Ｂ）において、排紙受けトレイ５０の回動軸５４は、本体２ｃに対して用紙送り出し方向上流端部に配置されている。
【００５７】
図１０（Ｃ）において、排紙受けトレイ５０の回動軸５４は、用紙収容領域２ｂに対して用紙送り出し方向下流端部に配置されている。また、図１０（Ｄ）において、排紙受けトレイ５０の回動軸５４は、用紙収容領域２ｂに対して用紙送り出し方向上流端部に配置されている。
【００５８】
図１１（Ａ）において、排紙受けトレイ５０の回動軸５４は、本体２ｃに対して用紙送り出し方向と直交する方向（用紙幅方向）の端部に配置されている。また、図１１（Ｂ）において、排紙受けトレイ５０の回動軸５４は、用紙収容領域２ｂに対して用紙送り出し方向と直交する方向（用紙幅方向）の端部に配置されている。
【００５９】
図１０（Ａ）〜図１０（Ｄ）、図１１（Ａ）、図１１（Ｂ）、のこれらのいずれの例でも、排紙受けトレイ５０を開いた際に下段側トレイ３０の上方が大きく開放され、これによって下段側トレイ３０へ用紙をセットする作業の容易性がより一層向上する。尚、上記いずれの変形例において、回動軸５４の位置が多少ずれた場合であっても、排紙受けトレイ５０を開いた際に下段側トレイ３０の上方が大きく開放され、用紙セット作業が容易になり、従ってその様な回動軸５４の範囲は本発明の範囲に含まれるものとなる。即ち、回動軸５４の位置は、用紙送り出し方向下流或いは上流の端部近傍であれば良く、或いは用紙送り出し方向と交差する方向の端部近傍であれば良い。
【符号の説明】
【００６０】
１  インクジェットプリンター、２  用紙カセット、２ｂ  用紙収容領域、２ｃ  本体、６  ピックアップローラー、７  揺動部材、８  揺動軸、１０  駆動ローラー、１２〜１４  従動ローラー、１７  搬送駆動ローラー、１８  搬送従動ローラー、１９  上部紙案内、２１  下部紙案内、２２  キャリッジ、２４  記録ヘッド、２５  排出駆動ローラー、２６  排出従動ローラー、３０  下段側トレイ、３０ａ  底面、３０ｂ  段差部、３１ａ、３１ｂ  側壁、３２  軸受穴、３３  分離斜面、３４  エッジガイド、３５ａ、３５ｂ  エッジガイド、３７ａ〜３７ｃ  溝穴、３９  隙間、４０  上段側トレイ、４０ａ  底面、４０ｂ  軸受部、４０ｃ  被支持部、４２  スライダ、４３  ストッパー、４４  エッジガイド、４５ａ、４５ｂ  エッジガイド、５０  排紙受けトレイ、５０ａ  排紙受け面、５１、５２  窓穴、５３  アーム、５３ａ  アーム先端部、５４  回動軸、５８  第１サブトレイ、５９  第２サブトレイ、６０  ロック機構、６１  操作アーム、６１ａ  摘み部、６２  レバー、６２ａ  軸受部、６２ｂ  アーム、６３  スライダ、６３ａ  突起、６４  ばね、Ｐ、Ｐ１、Ｐ２  記録用紙
【図１】
2014012582.tif 000003
【図２】
2014012582.tif 000004
【図３】
2014012582.tif 000005
【図４】
2014012582.tif 000006
【図５】
2014012582.tif 000007
【図６】
2014012582.tif 000008
【図７】
2014012582.tif 000009
【図８】
2014012582.tif 000010
【図９】
2014012582.tif 000011
【図１０】
2014012582.tif 000012
【図１１】
2014012582.tif 000013